(57)【要約】【課題】照明対象が照明装置よりも長い場合であっても照明対象を全体的に明るく照明することが可能な照明装置及び表示装置を提供する。【解決手段】照明装置１は、幅方向と直交する長手方向に延びる回路基板２０と、回路基板２０の表面２０ａに長手方向に沿って実装された複数の第１のＬＥＤ素子２１Ａと、回路基板２０の表面２０ａに複数の第１のＬＥＤ素子２１Ａの長手方向に沿ってそれぞれ隣接して実装された一対の第２のＬＥＤ素子２１Ｂと、第２のＬＥＤ素子２１Ｂから出射された光を第２の発光素子２１Ｂの光軸方向及び回路基板２０の幅方向とは異なる方向に主として出射する配光特性を付与する一対の第２のレンズ２６とを備える。【選択図】図１
2018073792.tif 000002
【特許請求の範囲】
【請求項１】
幅方向と直交する長手方向に延びる回路基板と、
前記回路基板の一方の面に前記長手方向に沿って実装された複数の第１の発光素子と、
前記回路基板の前記一方の面に前記複数の第１の発光素子の前記長手方向に沿ってそれぞれ隣接して実装された一対の第２の発光素子と、
前記第２の発光素子から出射された光を前記第２の発光素子の光軸方向及び前記回路基板の幅方向とは異なる方向に主として出射する配光特性を付与する一対のレンズと、
を備えた照明装置。
【請求項２】
前記一対のレンズは、前記第２の発光素子から出射された光のうち最大光強度の光線が前記長手方向であって前記回路基板から離れる斜め上方向となる配光特性を付与する、請求項１に記載の照明装置。
【請求項３】
前記複数の第１の発光素子から出射された光に所定の配光特性を付与するレンズをさらに備えた請求項１又は２に記載の照明装置。
【請求項４】
前記一対のレンズは、前記第２の発光素子から出射された光が入射する第１の入射面と、前記第１の入射面に入射した光を出射する第１の出射面と、前記第２の発光素子から出射された光が入射する第２の入射面と、前記第２の入射面に入射した光を反射する反射面と、前記反射面で反射した光を出射する第２の出射面と、
を備えた請求項１から３のいずれか１項に記載の照明装置。
【請求項５】
前記一対の第２の発光素子は、前記長手方向に実装された一対の複数の第２の発光素子であり、
前記一対のレンズは、前記長手方向に配置された一対の複数のレンズである、請求項１から４のいずれか１項に記載の照明装置。
【請求項６】
前記回路基板、前記複数の第１の発光素子、及び前記一対の第２の発光素子と、前記レンズ及び前記一対のレンズ、又は前記一対のレンズとは、光透過性の材料から形成されたパイプ部材に収容された、
請求項１から５のいずれか１項に記載の照明装置。
【請求項７】
前記回路基板の前記一方の面と反対側の面に配置され、前記複数の第１の発光素子、及び前記一対の第２の発光素子に電力を供給する電源部を、さらに備えた請求項１から６のいずれか１項に記載の照明装置。
【請求項８】
開口を有する筐体と、
前記筐体内に配置された請求項１から７のいずれか１項に記載の照明装置と、
前記開口に設けられた表示部と、
を備えた表示装置。
【発明の詳細な説明】
【技術分野】
【０００１】
本発明は、光源に発光素子を用いた照明装置、及びこの照明装置を用いた表示装置に関する。
【背景技術】
【０００２】
従来、管状の透光性部材の内部に発光ダイオード（ＬＥＤ素子）が実装された回路基板を収容した照明装置及びこの照明装置を用いた表示装置が提案されている（例えば、特許文献１参照）。
【０００３】
特許文献１に開示された照明装置は、管状の透光性部材と、透光性部材の内周面に設けられた一対の凹部に挿入されて透光性部材に収容され、幅方向と直交する長手方向に延びる回路基板と、回路基板の両方の面に長手方向に沿って実装された複数のＬＥＤ素子とを備える。透光性部材は、ＬＥＤ素子から出射された光を回路基板の幅方向に拡散させる光学特性を有している。
【０００４】
特許文献１に開示された表示装置は、開口部を有する箱状の筐体と、筐体に収容された上記照明装置と、筐体の開口部に配置され、広告等が印刷された表示部とを備える。照明装置から出射した光は、表示部に印刷された広告等を照明する。
【先行技術文献】
【特許文献】
【０００５】
【特許文献１】特開２０１５−１３３２４２号公報
【発明の概要】
【発明が解決しようとする課題】
【０００６】
従来の表示装置は、回路基板の幅方向に拡散した照明光を表示部に照明するものであるため、回路基板の長手方向の端部と筐体との間に対応する表示部の部分が回路基板の直上の部分よりも暗くなるという問題がある。このため、表示部の広告等として利用できる範囲が狭くなるという問題がある。
【０００７】
したがって、本発明の目的は、照明対象が照明装置よりも長い場合であっても照明対象を全体的に明るく照明することが可能な照明装置及び表示装置を提供することにある。
【課題を解決するための手段】
【０００８】
本発明は、上記目的を達成するため、幅方向と直交する長手方向に延びる回路基板と、前記回路基板の一方の面に前記長手方向に沿って実装された複数の第１の発光素子と、前記回路基板の前記一方の面に前記複数の第１の発光素子の前記長手方向に沿ってそれぞれ隣接して実装された一対の第２の発光素子と、前記第２の発光素子から出射された光を前記第２の発光素子の光軸方向及び前記回路基板の幅方向とは異なる方向に主として出射する配光特性を付与する一対のレンズと、を備えた照明装置を提供する。
【０００９】
また、本発明は、上記目的を達成するため、開口を有する筐体と、前記筐体内に配置された上記照明装置と、前記開口に設けられた表示部と、を備えた表示装置を提供する。
【発明の効果】
【００１０】
本発明によれば、照明対象が照明装置よりも長い場合であっても照明対象を全体的に明るく照明することが可能になる。
【図面の簡単な説明】
【００１１】
【図１】図１は、本発明の第１の実施の形態に係る照明装置を示す斜視図である。
【図２】図２は、図１の照明装置のソケットを除きパイプ部材の端部側からパイプ部材の長手方向に沿ってパイプ部材の内部を見た場合の側面図である。
【図３】図３は、第１のレンズの配光特性を説明するための図である。
【図４】図４は、第２のレンズの構造を示す平面図である。
【図５】図５は、第２のレンズの構造を示す正面図である。
【図６】図６は、第２のレンズの構造を示す底面図である。
【図７】図７は、第２のレンズの構造を示す図４のＡ−Ａ線断面図である。
【図８】図８は、図７に対応する断面図において、第２のＬＥＤ素子から出射された光線の様子を示す図である。
【図９】図９は、図６に対応する底面図において、第２のＬＥＤ素子から出射された光線の様子を示す図である。
【図１０】図１０は、パイプ部材を除いた状態の第２のレンズから出射される光の光強度分布を示す図である。
【図１１】図１１は、第１のレンズの他の例を示す図である。
【図１２】図１２は、本発明の第２の実施の形態に係る照明装置の要部を示す断面図である。
【図１３】図１３（ａ）は、本発明の第３の実施の形態に係る表示装置の正面図、図１３（ｂ）は、図１３（ａ）のＤ−Ｄ線断面図である。
【図１４】図１４は、第３の実施の形態に対応する実施例を広告表示部側から見た写真である。
【図１５】図１５は、実施例に対して第２のＬＥＤ素子及び第２のレンズを除いた照明装置を用いた場合の比較例を広告表示部側から見た写真である。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［実施の形態］
図１は、本発明の実施の形態に係る照明装置を示す斜視図である。図２は、図１の照明装置のソケットを除きパイプ部材の端部側からパイプ部材の長手方向に沿ってパイプ部材の内部を見た場合の側面図である。
【００１４】
図１において、符号１は蛍光灯型ＬＥＤランプ（以下、「照明装置」という。）の一構成例を模式的に示している。この照明装置１の基本構成は、円筒パイプからなる光透過性のパイプ部材１０と、パイプ部材１０の両端を閉蓋するキャップ状のソケット１１と、パイプ部材１０に収容されて発光する照明部２とを備える。
【００１５】
照明部２は、幅方向と直交する長手方向に延びる回路基板２０と、回路基板２０の表面２０ａに長手方向に沿って実装された複数の第１のＬＥＤ素子２１Ａと、回路基板２０の表面２０ａに複数の第１のＬＥＤ素子２１Ａの長手方向の両端部に隣接して実装された一対の第２のＬＥＤ素子２１Ｂと、第１のＬＥＤ素子２１Ａから出射された光に所定の配光特性を付与する第１のレンズ２２と、第１のレンズ２２の長手方向の両端部に隣接して設けられ、第２のＬＥＤ素子２１Ｂから出射された光に所定の配光特性を付与する一対の第２のレンズ２６と、回路基板２０をパイプ部材１０に支持する支持部材２３と、回路基板２０の裏面２０ｂに搭載された後述する電源部２４とを有する。第１のＬＥＤ素子２１Ａは、第１の発光素子の一例である。第２のＬＥＤ素子２１Ｂは、第２の発光素子の一例である。
【００１６】
（パイプ部材の構成）
パイプ部材１０は、例えばアクリル樹脂、ポリカーボネート樹脂等の光透過性を有する材料からなる。なお、当該材料に拡散剤が含まれていてもよい。パイプ部材１０は、例えば、既存の直管蛍光灯とほぼ同一の大きさ、寸法、及び外観形態を有している。パイプ部材１０は、内周面１０ａから径方向に突出する一対の凸部１０１を内周面１０ａの対向する位置にそれぞれ設けることにより、内周面１０ａの長手方向に沿って平行に延びる一対の係合受部としての凹部１００が形成されている。
【００１７】
図２に示すように、一対の凹部１００は、支持部材２３の外側突起２３２を係合支持する。図示例によれば、パイプ部材１０の凹部１００は、内周面の長手方向に沿って延びるレール状の凹凸部となっているが、これに限定されるものではなく、例えばパイプ部材１０の内周面１０ａから径方向に窪んでおり、内周面１０ａの長手方向に沿って延びる溝状の凹部を形成してもよい。
【００１８】
（ソケットの構成）
ソケット１１は、ポリブチレンテレフタレート樹脂、ポリカーボネート樹脂等の樹脂から形成され、図示しない蛍光灯ソケット部の端子に接続させるための金属製の２本一対のソケット端子１１０を備える。
【００１９】
ソケット端子１１０の外部への突出端は、蛍光灯ソケット部の端子に電気的に接続される。ソケット端子１１０の突出端と反対側の他端は、回路基板２０上に設けられたパッドと電気的に接続される。なお、電源部２４に二次電池を用いる場合には、ソケット端子１１０と回路基板２０とは電気的に接続されていなくてもよい。
【００２０】
（照明部２の構成）
照明部２は、前述したように回路基板２０を有し、回路基板２０の表面２０ａに、複数の第１のＬＥＤ素子２１Ａ、一対の第２のＬＥＤ素子２１Ｂ、第１のレンズ２２、一対の第２のレンズ２６が設けられ、回路基板２０の裏面２０ｂに、第１及び第２のＬＥＤ素子２１Ａ、２１Ｂに電力を供給する電源部２４が搭載されている。回路基板２０は、例えば、パイプ部材１０の内径の１／３以下、又は１／２以下の幅を有する。例えば、パイプ部材１０の内容を４０ｍｍ、回路基板２０の幅を１９ｍｍとしてもよい。回路基板２０の表面２０ａは、一方の面の一例である。
【００２１】
回路基板２０は、材質として、例えばガラス基材（例えば、ＦＲ−４等）又はエポキシ系・ポリエステル系コンポジット基材（例えば、ＣＥＭ−３等）の材料を用いることができる。
【００２２】
第１及び第２のＬＥＤ素子２１Ａ、２１Ｂは、例えば、フリップチップタイプものを用いることができる。第１及び第２のＬＥＤ素子２１Ａ、２１Ｂは、例えば、青色ＬＥＤを蛍光体により波長変換して白色を発光可能に構成されていてもよい。
【００２３】
電源部２４は、ソケット端子１１０から１００Ｖ又は２００Ｖ、５０Ｈｚ／６０Ｈｚの交流の商用電源が供給されるものである。電源部２４は、供給された交流を直流に変換する整流ダイオードと、整流ダイオードによって変換された直流の出力を平滑にして２００〜３００ｍＡ、３０〜４５Ｖの直流で電力を回路基板２０に供給するコンデンサとを備える。電源部２４は、幅が回路基板２０の幅よりも小さいのが好ましい。
【００２４】
なお、電源部２４は、電気的に直列に接続された複数の二次電池を電池収容箱内に収容した複数の電池パックでもよい。複数の電池パックは、回路基板２０の長手方向に沿って回路基板２０の裏面２０ｂに搭載されている。これらの電池パックから供給される電力により、外部電源から電力が供給されなくても第１及び第２のＬＥＤ素子２１Ａ、２１Ｂが点灯する。
【００２５】
（支持部材の構成）
支持部材２３は、パイプ部材１０の内径よりも小さい幅を有し、パイプ部材１０の長手方向に延びたベース部２３０と、ベース部２３０の幅方向の両端部にベース部２３０に直交するように設けられた一対の側部２３１と、一対の側部２３１の外側の面から外側に突出した外側突起２３２と、一対の側部２３１の上端部から内側に突出した内側突起２３３とを備え、全体として板状の形状を有する。
【００２６】
支持部材２３は、アクリル樹脂、ポリカーボネート樹脂等の透明な材料から形成されている。回路基板２０の幅を細くし、支持部材２３を透明な材料から形成することにより、支持部材２３は、回路基板２０の幅方向の端面からはみ出てパイプ部材１０の凹部１００に延びた部分が第１及び第２のＬＥＤ素子２１Ａ、２１Ｂから出射され、パイプ部材１０の内周面１０ａを含む各部で反射又は散乱した光を透過させる構成を有する。なお、支持部材２３は、パイプ部材１０を形成する材料に拡散剤が含有されている場合には、拡散剤で反射した光も透過させる。
【００２７】
回路基板２０には、図示しない複数の貫通孔が形成され、支持部材２３には、回路基板２０に形成された貫通孔に嵌合される図示しない複数の位置決め凸部が形成されている。これにより、支持部材２３に対する回路基板２０を位置決めすることができる。
【００２８】
（第１のレンズの構成）
第１のレンズ２２は、底面に位置決めピンが突出しており、回路基板２０に形成された位置決め孔に位置決めピンを挿入し、位置決めピンを融着して回路基板２０に固定するようになっている。第１のレンズ２２は、位置決めピンを除き断面形状が長手方向に沿って同一に形成されている。
【００２９】
第１のレンズ２２は、図２に示すように、第１のＬＥＤ素子２１Ａから出射された光が入射する平坦な入射面２２４と、入射面２２４に入射した光を反射する一対の山形状の反射面２２５と、回路基板２０の表面２０ａに接触する接触凸部２２６と、支持部材２３のベース部２３０と内側突起２３３との間に係合受部に係合される係合突起２２３とを備える。
【００３０】
入射面２２４は、第１のＬＥＤ素子２１Ａから入射した光の一部（光軸の方向を除く）を屈折させて反射面２２５まで導光する。入射面２２４は、一部に曲面を含んでいてもよい。
【００３１】
反射面２２５は、中央が最も低い一対の山型形状を有する。反射面２２５は、入射面２２４に入射した光を反射させることで、光を回路基板２０の幅方向に拡散させて出射する。
【００３２】
図３は、第１のレンズ２２の配光特性を説明するための図である。第１のＬＥＤ素子２１Ａから出射した光線Ｌは、第１のレンズ２２の入射面２２４に入射し、反射面２２５でほとんどが全反射した後、側面２２７を透過し、さらにパイプ部材１０を透過して外部に出射する。このような照明装置１によれば、第１のＬＥＤ素子２１Ａから上方への出射光量よりも横方向への出射光量を増加させることができる。
【００３３】
（第２のレンズの構成）
図４から図７は、第２のレンズ２６の構造を示し、図４は平面図、図５は正面図、図６は底面図、図７は図４のＡ−Ａ線断面図である。
【００３４】
第２のレンズ２６は、底面に位置決めピンが突出しており、回路基板２０に形成された位置決め孔に位置決めピンを挿入し、位置決めピンを融着して回路基板２０に固定するようになっている。
【００３５】
第２のレンズ２６は、第２のＬＥＤ素子２１Ｂから出射された光を第２のＬＥＤ素子２１Ｂの光軸方向及び回路基板２０の幅方向とは異なる方向に主として出射する配光特性を付与する。異なる方向は、最大光強度の光線の方向が、例えば、回路基板２０の長手方向であって回路基板２０から離れる斜め上方向、斜め下方向、又は回路基板２０に平行な水平方向や他の方向でもよい。
【００３６】
第２のレンズ２６は、第２のＬＥＤ素子２１Ｂから出射された光が入射する第１の入射面２６０ａ及び第２の入射面２６０ｂを含む入射面２６０と、第２の入射面２６０ｂに入射した光を反射する反射面２６１と、第１の入射面２６０ａに入射した光を透過させる第１の出射面２６２ａ及び反射面２６１で反射した光を透過させる第２の出射面２６２ｂを含む出射面２６２と、第１の入射面２６０ａと第２の入射面２６０ｂとを接続する接続面２６３と、回路基板２０の表面２０ａに接触する底面２６４とを備える。なお、接続面２６３は、製作の便宜上設けたものであり、製作上設ける必要がなければ設けなくてもよい。
【００３７】
第１の入射面２６０ａ及び第２の入射面２６０ｂは、第２のＬＥＤ素子２１Ｂに膨出した曲面を有する。反射面２６１は、円錐面の一部を構成する曲面に近似した曲面を有する。第１の出射面２６２ａは、球面の一部を構成する曲面に近似した曲面を有する。第２の出射面２６２ｂは、円錐面の一部を構成する曲面に近似した曲面を有する。
【００３８】
（第２のレンズの光学特性）
図８は、図７に対応する断面図において、第２のＬＥＤ素子２１Ｂから出射された光線Ｌの様子を示す図である。図９は、図６に対応する底面図において、第２のＬＥＤ素子２１Ｂから出射された光線Ｌの様子を示す図である。図１０は、パイプ部材１０を除いた状態の第２のレンズ２６から出射される光の光強度分布を示す図である。同図中、実線は図８のＢ−Ｂ断面における光強度分布を示し、破線は図９のＣ−Ｃ断面における光強度分布を示す。
【００３９】
図８に示すように、第２のＬＥＤ素子２１Ｂから出射された光線Ｌの一部は、第１の入射面２６０ａに入射し、一部は、第２の入射面２６０ｂに入射する。第１の入射面２６０ａに入射した光線Ｌは第１の入射面２６０ａを透過し、さらに第１の出射面２６２ａを透過して外部に出射される。第２の入射面２６０ｂに入射した光線Ｌは第２の入射面２６０ｂを透過し、反射面２６１で反射した後、第２の出射面２６２ｂを透過して外部に出射される。
【００４０】
図８からは、第２のＬＥＤ素子２１Ｂから出射した光線Ｌは、第２のレンズ２６から斜め上方向に出射していることが分かる。すなわち、第２のレンズ２６の第１の出射面２６２ａを透過する光線Ｌのうち最大光強度の光線Ｌが第２のＬＥＤ素子２１Ｂから照明対象の端部に向かう線に対して±１０°の範囲内であるのが好ましい。
【００４１】
図９からは、第２のＬＥＤ素子２１Ｂから出射した光線Ｌは、第２のレンズ２６から回路基板２０の幅方向に広がって出射していることが分かる。
【００４２】
図１０からは、回路基板２０から離れる斜め上方向の光強度が最も大きくなっていることが分かる。
【００４３】
（照明装置の動作）
次に、照明装置１の動作について説明する。電源部２４から第１及び第２のＬＥＤ素子２１Ａ、２１Ｂに電力が供給され、第１のＬＥＤ素子２１Ａから光が出射されると、第１のＬＥＤ素子２１Ａから出射された光は、第１のレンズ２２の入射面２２０に入射した後、屈折して反射面２２５に到達し、この反射面２２５で反射した後、側面２２７から出射し、パイプ部材１０の内周面１０ａに入射する。第２のＬＥＤ素子２１Ｂから出射した光は、第２のレンズ２６によって主として斜め上方向に出射し、パイプ部材１０を介して外部に出射される。
【００４４】
パイプ部材１０の内周面１０ａに入射した光は、一部は透過し、残りは反射又は散乱する。パイプ部材１０を透過した光は、外周面１０ｂから外部に出射される。パイプ部材１０の内周面１０ａで反射又は散乱した光は、各部で反射又は散乱して回路基板２０の幅方向の端面から外側に存在するレンズ２２の部分や支持部材２３を透過し、回路基板２０の裏面２０ｂ側に回り込み、さらにパイプ部材１０を透過して外部に出射される。以上のようにして回路基板２０の表面２０ａ側だけでなく、回路基板２０の裏面２０ｂ側も光が出射される。
【００４５】
（第１の実施の形態の作用、効果）
第１の実施の形態によれば、以下の作用、効果を奏する。
（１）第２のＬＥＤ素子２１Ｂから出射した光は、第２のレンズ２６で主に斜め上方向に出射し、さらにパイプ部材１０を通して外部に出射するので、照射対象が照明装置１（又は回路基板２０）の長手方向の長さよりも長い場合であっても照射対象を全体的に明るく照明することができる。
（２）第１のＬＥＤ素子２１Ａから出射した光は、第１のレンズ２２により回路基板２０の幅方向に拡散して外部に出射するので、回路基板２０の幅方向に広がった配光特性を得ることができる。
【００４６】
（第１のレンズの他の例）
図１１は、第１のレンズ２２の他の例を示す図である。第１の実施の形態では、第１のレンズ２２は、反射を用いたものであるが、図１１に示すように、屈折を２回用いたものでもよい。なお、第１のレンズ２２は、図１１の構成に限られず、他の形状を有するものでもよい。
【００４７】
この第１のレンズ２２は、第１のＬＥＤ素子２１Ａから出射された光が屈折して入射する凹状の入射面２２０と、入射面２２０に入射した光を屈折して出射する凸状の出射面２２１と、回路基板２０の表面２０ａに接触する基板接触面２２２と、支持部材２３のベース部２３０と内側突起２３３との間の係合受部に係合される係合突起２２３とを備える。
【００４８】
入射面２２０は、回路基板２０の幅方向に沿う方向に短軸、及び短軸に直交する方向に長軸を有する略楕円形状に形成されている。入射面２２０は、発光素子２１から入射した光の一部（光軸の方向を除く）を屈折させて出射面２２１まで導光する。なお、入射面２２０は、円形の曲面を有するものであってもよい。また、入射面２２０は、一部に平面を含んでいてもよい。
【００４９】
出射面２２１は、中央が最も高い山型形状を有する。出射面２２１は、入射面２２０に入射した光を屈折させることで、光を回路基板２０の幅方向に拡散させて出射する。
【００５０】
［第２の実施の形態］
図１２は、本発明の第２の実施の形態に係る照明装置の要部を示す断面図である。第１の実施の形態では、回路基板２０の長手方向の両端部側にそれぞれ１つの第２のＬＥＤ素子２１Ｂ及び１つの第２のレンズ２６を配置したが、本実施の形態は、照明装置１の長手方向の両端部側の光量を増やすため、回路基板２０の長手方向の両端部側にそれぞれ３つの第２のＬＥＤ素子２１Ｂ及び３つの第２のレンズ２６を配置したものである。以下、第１の実施の形態と異なる点を中心に説明する。
【００５１】
第２の実施の形態の第２のレンズ２６は、照明装置１の長手方向の両端部側の光量を増やすように光の方向を制御するためには、第２のＬＥＤ素子２１Ｂを取り囲むように第２のレンズ２６を形成する必要があるため、第１のレンズ２２よりも幅の大きいものを用いる。このため、第１のＬＥＤ素子２１Ａと第２のＬＥＤ素子２１Ｂとの間のピッチｐ２を、第１のＬＥＤ素子２１Ａ間のピッチｐ１よりも大きくし、第２のＬＥＤ素子２１Ｂ間のピッチｐ３を第１のＬＥＤ素子２１Ａと第２のＬＥＤ素子２１Ｂとの間のピッチｐ２よりも大きくしている。なお、回路基板２０の長手方向の端部に配置される第２のＬＥＤ素子２１Ｂ及び第２のレンズ２６の数は、３つに限定されず、２つでも４つ以上でもよい。第２のＬＥＤ素子２１Ｂに供給する電流値は、第１のＬＥＤ素子２１Ａに供給する電流値よりも大きくする（例えば、２〜６倍）のが好ましい。これにより使用する第２のＬＥＤ素子２１Ｂ及び第２のレンズ２６の数を減らすことができ、照明装置１の小型化が図れる。なお、第２のＬＥＤ素子２１Ｂに供給する電流値を第１のＬＥＤ素子２１Ａに供給する電流値と同じにしてもよい。
【００５２】
第２の実施の形態によれば、第１の実施の形態と比較して第２のレンズ２６から斜め上方向に出射する光量を増やすことができる。
【００５３】
［第３の実施の形態］
図１３（ａ）は、本発明の第３の実施の形態に係る表示装置の正面図、図１３（ｂ）は、図１３（ａ）のＤ−Ｄ線断面図である。
【００５４】
この表示装置５０は、例えば広告看板であり、開口５１ａを有する箱型状の筐体５１と、開口５１ａに設けられた広告表示部５２と、筐体５１の底壁５１ｆにスタンド５３によって支持された照明装置１とを備える。この照明装置１により照明光が広告表示部５２の背面側から表面側へと照射される。
【００５５】
筐体５１は、金属材料又はポリカーボネート等の樹脂材料からなり、底壁５１ｆを取り囲む４つの側壁５１ｂ〜５１ｅを備えている。側壁５１ｂ〜５１ｅの内面には、アルミニウムシート等の金属シートが貼り付けられており、光の反射効率を高めている。なお、側壁５１ｂ〜５１ｅの内面は、金属シートの代わりに、例えば白色塗装を施してもよく、筐体５１を白色の樹脂材料で形成してもよい。
【００５６】
広告表示部５２は、図示例に限定されるものではないが、広告板５２ａ、透明板５２ｂ及び散乱板５２ｃを積層して形成されている。透明板５２ｂ及び散乱板５２ｃは、透明樹脂又は透明ガラス等からなる。透明板５２ｂは、広告が印刷された広告板５２ａを保護する。散乱板５２ｃは、表面又は裏面に微細な凹凸を有しており、入射光を散乱させる。
【００５７】
第３の実施の形態によれば、第２のレンズ２６から斜め上方向への光量を増やすことができるため、照明装置１と筐体５１の側壁５１ｂ、５１ｄとの間が離れていても広告表示部５２を全体的に明るく照明することができる。
【実施例１】
【００５８】
図１４は、第３の実施の形態に対応する実施例を広告表示部５２側から見た写真である。図１５は、実施例に対して第２のＬＥＤ素子２１Ｂ及び第２のレンズ２６を除いた照明装置を用いた場合の比較例を広告表示部５２側から見た写真である。但し、実施例は、回路基板２０の長手方向の両端部に、第２のＬＥＤ素子２１Ｂを２つずつ用い、第２のレンズ２６を２つずつ用いた。また、第２のＬＥＤ素子２１Ｂに供給する電流値を第１のＬＥＤ素子２１Ａに供給する電流値の４倍とした。比較例は、第２のレンズ２６を除いた分第１のレンズ２２を長手方向に延ばしたものを用い、第１のＬＥＤ素子２１Ａの数を８個増やした。
【００５９】
実施例は、図１４に示すように、照度の均斉度（＝最小照度／最大照度）が１３％であるのに対し、比較例は、図１５に示すように、照度の均斉度（＝最小照度／最大照度）が３６％であった。
【００６０】
実施例を示す図１４からは、広告表示部５２の回路基板２０の直上の部分５４と、それに長手方向に隣接する部分５５ａ、５５ｂが明るく照明されていることが分かる。一方、比較例を示す図１５からは、広告表示部５２の回路基板２０の直上の部分５６は、明るく照明されているが、それに長手方向に隣接する部分５７ａ、５７ｂは暗くなっていることが分かる。
【００６１】
［変形例］
なお、本発明の実施の形態は、上記各実施の形態に限定されるものではなく、本発明の要旨を変更しない範囲内で種々に変形、実施が可能である。例えば、第２のレンズ２６の底面２６４を回路基板２０の表面２０ａに接触させて配置したが、第２のレンズ２６を回路基板２０に対して傾けてもよい。これにより光の出射方向を照射対象との間の距離や大きさに応じて容易に変更することができる。また、第１のレンズと第２のレンズを一体として形成してもよい。これにより部品点数を減らすことができる。
【００６２】
また、本発明の要旨を変更しない範囲内で、上記各実施の形態の構成要素の一部を省くことが可能である。例えば、第１のレンズを用いなくもよい。例えば、上記各実施の形態では、パイプ部材１０に電源部２４を収容したが、外部から回路基板２０に直流の電力を供給できる場合には、電源部２４を省いてもよい。
【符号の説明】
【００６３】
１…照明装置、２…照明部、１０…パイプ部材、１０ａ…内周面、１０ｂ…外周面、
１１…ソケット、２０…回路基板、２０ａ…表面、２０ｂ…裏面、
２１Ａ…第１のＬＥＤ素子、２１Ｂ…第２のＬＥＤ素子、２２…第１のレンズ、
２３…支持部材、２４…電源部、２６…第２のレンズ、５０…表示装置、５１…筐体、
５１ａ…開口、５１ｂ-５１ｅ…側壁、５１ｆ…底壁、５２…広告表示部、
５２ａ…広告板、５２ｂ…透明板、５２ｃ…散乱板、５３…スタンド、
５４…直上の部分、５５ａ、５５ｂ…隣接する部分、５６…直上の部分、
５７ａ、５７ｂ…隣接する部分、１００…凹部、１０１…凸部、
１１０…ソケット端子、２２０…入射面、２２１…出射面、２２２…基板接触面、
２２３…係合突起、２２４…入射面、２２５…反射面、２２６…接触凸部、
２２７…側面、２３０…ベース部、２３１…側部、２３２…外側突起、
２３３…内側突起、２６０…入射面、２６０ａ…第１の入射面、
２６０ｂ…第２の入射面、２６１…反射面、２６２…出射面、
２６２ａ…第１の出射面、２６２ｂ…第２の出射面、２６３…接続面、
２６４…底面
【図１】
2018073792.tif 000003
【図２】
2018073792.tif 000004
【図３】
2018073792.tif 000005
【図４】
2018073792.tif 000006
【図５】
2018073792.tif 000007
【図６】
2018073792.tif 000008
【図７】
2018073792.tif 000009
【図８】
2018073792.tif 000010
【図９】
2018073792.tif 000011
【図１０】
2018073792.tif 000012
【図１１】
2018073792.tif 000013
【図１２】
2018073792.tif 000014
【図１３】
2018073792.tif 000015
【図１４】
2018073792.tif 000016
【図１５】
2018073792.tif 000017